(57)【特許請求の範囲】
【請求項１】
幹糸が挿通される幹糸挿通孔と、前記幹糸挿通孔に交差して形成され、枝糸が取着される枝糸取付孔とが形成されている釣り糸連結具において、
枝糸取付孔の入口端から幹糸挿通孔との交差位置を越え、枝糸の結節部分が係止される係止位置迄の領域の内径が、前記係止位置から出口端迄の領域の内径より大に形成されている事を特徴とする釣り糸連結具。
【請求項２】
請求項１に記載の釣り糸連結具において、枝糸取付孔が釣り糸連結具の中心軸に一致して形成され、幹糸挿通孔が枝糸取付孔に直交するように形成されている事を特徴とする釣り糸連結具。
【請求項３】
請求項１に記載の釣り糸連結具において、枝糸取付孔が釣り糸連結具の中心軸に対して鋭角方向に形成され、幹糸挿通孔が前記中心軸に直交するように形成されている事を特徴とする釣り糸連結具。
【請求項４】
請求項１〜３のいずれかに記載の釣り糸連結具において、釣り糸連結具が長円回転体である事を特徴とする釣り糸連結具。
【請求項５】
請求項１〜４のいずれかに記載の釣り糸連結具において、出口端がラッパ状に開くように形成されている事を特徴とする釣り糸連結具。
【請求項６】
請求項１〜３又は５のいずれかに記載の釣り糸連結具において、釣り糸連結具の枝糸の入口端側が半球状に形成され、出口端側が平面状に形成された形状で、枝糸取付孔が半球状端部から平面状端部に向かって形成されている事を特徴とする釣り糸連結具。
【請求項７】
請求項１〜３又は５のいずれかに記載の釣り糸連結具において、釣り糸連結具の枝糸の入口端側が半球状に形成され、半球状部分を越えた位置から枝糸の出口端側に向かってその外径を次第に減少させた形状で、枝糸取付孔が半球状端部から反対側端部に向かって形成されている事を特徴とする釣り糸連結具。
【発明の詳細な説明】
【０００１】
【産業上の利用分野】
本発明は、幹糸に枝糸を接続する場合に使用する釣り糸連結具の改良に関する。
【０００２】
【従来の技術】
図１９は、本発明及び従来例の釣り糸連結具(1)又は(20)の使用例を示すものである。まず、従来例の釣り糸連結具(20)を使用しない場合を、図１９を利用して説明し、続いて、従来例の釣り糸連結具(20)を使用する場合を説明する。釣り糸連結具の使用の有無に拘わらず、船釣りにおいては一般的に、道糸(17)に餌籠(13)を取り付け、更にその下に釣り針(12)を装着した多数の枝糸(25)が取り付けられた仕掛け(Ｓ)を取り付け、これを餌籠(13)と共に海中に投入し、釣竿（図示せず）や道糸(17)を操って餌籠(13)を上下させながら餌釣りを行う。海中に投入された餌籠(13)からは、餌籠(13)が海中で上下するたびに少量づつ内部に充填された餌(E)が周囲にこぼれ、魚を呼び込む。
【０００３】
餌籠(13)の周囲に集まった魚は、その周囲に漂う枝糸(25)に取り付けられた釣り針(12)を餌(E)と間違えて食いつき、釣り上げられる事になる。なお、釣り針(12)には餌(E)や疑似餌を取り付けるのが一般的である。
【０００４】
前記仕掛けの幹糸(17)は海中を潮の流れに沿って漂い、枝糸(25)はその周囲を漂う。潮の流れはまさに千変万化であり、枝糸(25)は絶えず幹糸(23)の周囲を巡る。その結果枝糸(25)が幹糸(23)に固定されている場合には枝糸(25)の動きは幹糸の捻じれを生起し、また、枝糸(25)自体の捻じれも誘う。この捻じれは枝糸(25)の幹糸(23)への絡み付きとなって表われ、海中で枝糸(25)が幹糸(23)に、或いは枝糸(25)同士が絡まって団子になり、満足な釣果を上げられないという結果を招いていた。
【０００５】
そこで、図２０、２１に示すような釣り糸連結具(20)が開発された。即ち、大略、長軸方向が３ｍｍ、短軸方向の直径が２ｍｍ程度の極く小さい長円回転体（即ち、ラグビーボール状）の樹脂粒に、短軸方向にて幹糸挿通孔(21)が穿設され、長軸方向に枝糸取付孔(22)が穿設されたもので、図２０、２１に示すように幹糸挿通孔(21)に幹糸(23)を通し、その上下で結び目のような結節部(24a)(24b)を作り、結節部(24a)(24b)間で釣り糸連結具(20)が保持され、自由に回転するように取り付けられ、一方、枝糸取付孔(22)には枝糸(25)が挿通され、枝糸取付孔(22)の結節部(26)(27)にて保持されるようになっている。
【０００６】
ここで、図２０から分かるように、幹糸挿通孔(21)と枝糸取付孔(22)とは釣り糸連結具(20)内で直交しているため、互いに干渉し合わないようにするために図２１に示すように穿設位置をずらしてある。このようにしないと幹糸(23)と枝糸(25)とが互いに接触してしまうからである。
【０００７】
このような釣り糸連結具(20)を使用して釣りを行うと、潮の流れに乗って枝糸(25)が幹糸(23)の周囲を回っても、釣り糸連結具(20)が幹糸(23)の周囲を自由回転するため、前述のような捻じれによる枝糸(25)の絡み付きはある程度解消された。
【０００８】
しかしながら、従来の釣り糸連結具(20)は前述のように幹糸(23)と枝糸(25)との接触を避けるため、幹糸挿通孔(21)と枝糸取付孔(22)とが捻じれの位置になるように形成されているため、左右の肉厚(M)(N)に偏りが発生する。海中では、釣り糸連結具(20)の周囲を潮が流れていくが、前述のように左右の肉厚(M)(N)に偏りがあると左右の潮の流れに差が発生して釣り糸連結具(20)の海中での姿勢の不安定化を招き、これが枝糸(25)のより円滑な回転を妨げる原因になっていた。そしてこれは、海中における釣り糸連結具(20)による抵抗の増加となって現れ、敏感な当たりが伝わりにくくなるし、機敏な釣り作業の妨げとなる。
【０００９】
【発明が解決しようとする課題】
本発明の主たる課題は、枝糸と幹糸とが互いに干渉し合う事なく、枝糸が釣り糸連結具の中心を通るようにしてバランスよく釣り糸連結具が幹糸の周囲を回転できるようにする事であり、付加的課題としては、潮の流れの中で釣り糸連結具の抵抗を出来るだけ小さくする事、枝糸の自由な動きを確保する事にある。
【００１０】
【課題を解決するための手段】
請求項１は、本発明にかかる釣り糸連結具(1)の基本型で「幹糸(8)が挿通される幹糸挿通孔(2)と、前記幹糸挿通孔(2)に交差して形成され、枝糸(10)が取着される枝糸取付孔(3)とが形成されている釣り糸連結具(1)において、
枝糸取付孔(3)の入口端(3イ)から幹糸挿通孔(2)との交差位置(X)を越え、枝糸(10)の結節部分(11a)が係止される係止位置(5)迄の領域(3a)の内径が、前記係止位置(X)から出口端(3ロ)迄の領域(3b)の内径より大に形成されている」事を特徴とする。
【００１１】
請求項２は、請求項１に記載の釣り糸連結具(1)を更に限定した一例で「枝糸取付孔(3)が釣り糸連結具(1)の中心軸(CL)に一致して形成され、幹糸挿通孔(2)が枝糸取付孔(3)に直交するように形成されている」事を特徴とする。
【００１２】
これによれば、まず、枝糸(10)を枝糸取付孔(3)に挿通し、枝糸(10)の端部に結び目のような結節部(11a)を作ってから、枝糸(10)を出口端(3ロ)側から引っ張ってこの結節部(11a)を入口端(3イ)から枝糸取付孔(3)の太径領域(3a)内に引き込み、幹糸挿通孔(2)との交差位置(X)を越え、太径領域(3a)と細径領域(3b)との境の係止位置(5)に結節部(11a)に係止する。そして、細径領域(3b)の出口端(3ロ)から導出されている枝糸(10)に結節部(11b)を作り、結節部(11a)(11b)間に細径領域(3b)が位置するようにセットする。
【００１３】
然る後、枝糸(10)の先端に釣り針（図示せず）を結びつける。このようにした釣り糸連結具(1)を多数用意し、幹糸(8)を釣り糸連結具(1)の幹糸挿通孔(２)に挿通し、幹糸(8)に結び目或いは他の糸又は他の部材を巻きつけて結節部(9a)(9b)を形成し、釣り糸連結具(1)が結節部(9a)(9b)間で自由な回転が出来るようにする。このようにして釣り糸連結具(1)を使用した仕掛け(S)を形成する。
この時、図1〜3から分かるように前記枝糸取付孔(3)は、釣り糸連結具(1)の長軸方向にて中心軸(CL)に一致して形成されているため、従来例と違って左右の厚み偏りもないし、枝糸(10)の端部は、釣り糸連結具(1)の後端部の中心から導出されることになる。そして、枝糸(10)の結節部(11a)が交差点(X)を越えて太径領域(3a)内に入り込んでいるため幹糸(8)に接触しないので、釣り糸連結具(1)は海中において自由に回転する事が出来、枝糸(10)や幹糸(8)に撚りがかからず、糸の縺れが少なくなる。
【００１４】
請求項３は、請求項１に記載の釣り糸連結具(1)の他の限定例で、「枝糸取付孔(3)が釣り糸連結具(1)の中心軸(CL)に対して鋭角方向に形成され、幹糸挿通孔(2)が前記中心軸(CL)に直交するように形成されている」事を特徴とする。
【００１５】
これによれば、釣り具連結具(1)に幹糸(8)を挿通する時、細径領域(3b)の出口(3ロ)が、幹糸(8)に対して斜め上方を向くように取り付けておけば、仕掛け(S)を海中に投入し、仕掛け(S)が沈んで行く時に釣針(12)に引っ張られ且つ枝糸(10)が水の抵抗に沿って上方に撓みやすくなり、枝糸(10)が枝糸挿通孔(3)内で回動しやすくなり、枝糸(10)の撚りの発生が緩和される。
【００１６】
請求項４は請求項１〜３のいずれかに記載の釣り糸連結具(1)の外形に関する具体例の第１で「釣り糸連結具(1)が長円回転体で形成されている」ことを特徴とする。このようにする事で、釣り糸連結具(1)の長手方向に沿って潮が流れやすくなり、姿勢が安定しやすくなる
請求項５は、請求項１〜４のいずれかに記載の釣り糸連結具(1)を更に限定したもので「出口端(3ロ)がラッパ状に開くように形成されている」事を特徴とするもので、このようにする事で、枝糸(10)の導出部分がいずれの方向にもより自由に撓む事が出来、枝糸(10)が抵抗なく潮の流れに乗りやすい。
【００１７】
請求項６は、請求項１〜３又は５のいずれかに記載の釣り糸連結具(1)の他の実施例で「釣り糸連結具(1)の枝糸(10)の入口端(3イ)側が半球状に形成され、出口端(3ロ)側が平面状に形成された形状で、枝糸取付孔(3)が半球状端部(R)から平面状端部(7)に向かって形成されている」事を特徴とする。
【００１８】
これによれば、出口端(3ロ)側の端部が切り落とされて平面状端部(7)となっているため、その分だけ釣り糸連結具(1)の体積を小さくする事が出来る。また、この場合、釣り糸連結具(1)の形状が、枝糸(10)の入口端(3イ)側が半球状に形成され、出口端(3ロ)側が平面状に形成された砲弾型であって出口端(3ロ)の平面(7)側から枝糸(8)が導出されているので、潮の流れは常に、半球状端部(R)側に当たり釣り糸連結具(1)は海中で安定的にその姿勢が保たれる事になる。
【００１９】
請求項７は、請求項１〜３又は５のいずれかに記載の釣り糸連結具(1)の更に他の実施例で「釣り糸連結具(1)の枝糸(10)の入口端(3イ)側が半球状に形成され、半球状部分(R)を越えた位置から枝糸(3)の出口端(3ロ)側に向かってその外径を次第に減少させた形状で、枝糸取付孔(3)が半球状端部(R)から反対側端部(r)に向かって形成されている」事を特徴とする。
【００２０】
これによれば、海中では、潮の流れに乗って枝糸(10)が漂う時、曲率半径の大きい入口端(3イ)側が常に上流側に位置し、外径が次第に小さくなる出口端(3ロ)側が下流側に位置するため、潮の流れは釣り糸連結具(1)の外周に沿ってスムーズに流れ、釣り糸連結具(1)の海中における姿勢安定性が増す。
【００２１】
【発明の実施の形態】
本発明の釣り糸連結具(1)は、前述のように幹糸(8)に回転自在に取り付けられ、且つ枝糸(10)が直角方向に取り付けられるものである。図１〜３は本発明の釣り糸連結具(1)の第１実施例であり、以下、図面に従って順次説明する。第2実施例以降で、第1実施例と重複するものは煩雑さを避けるためにその説明を省略する。
【００２２】
図１〜３は釣り糸連結具(1)の第１実施例で、釣り糸連結具(1)は長円の回転体である例えばラグビーボール状のもので、その大きさは、大略、長軸方向が３ｍｍ、短軸方向の直径が２ｍｍ程度の極く小さい樹脂製のもので、枝糸(10)が取着される枝糸取付孔(3)が長軸方向にて釣り糸連結具(1)の中心軸(CL)に一致して形成されており、更に、これに直交（勿論、直交しなくてもよい）し、且つ入口側(3イ)側に偏って上面から下面に貫通する幹糸挿通孔(2)が穿設されている。そして、前記幹糸挿通孔(2)の直径は、前記枝糸取付孔(3)の太径部分(3a)より大きく、大略、釣り糸連結具(1)の長軸回りの外径の約２／５〜１／２程度の大きさに形成されている。後述するように勿論幹糸挿通孔(2)の直径を、太径部分(3a)より細くして幹糸(8)を８の字結びに形成した結節部(9a),(9b)で止めるようにしても良い。
【００２３】
一方、前記枝糸取付孔(3)は、前述のように太径領域(3a)と細径領域(3b)とで構成されており、その入口端(3イ)から幹糸挿通孔(2)との交差位置(X)を越え、枝糸(10)の結節部分(11a)が係止される係止位置(5)迄の領域(3a)の内径が、前記係止位置(X)から出口端(3ロ)迄の領域(3b)の内径より大に形成されている。
【００２４】
釣り糸連結具(1)の取付手順は、前述の通りで、枝糸(10)を枝糸取付孔(3)に挿通し、枝糸(10)を出口端(3ロ)側から引っ張って枝糸(10)の端部に設けた結節部(11a)を太径領域(3a)内に引き込み、係止位置(5)に係止する。そして、細径領域(3b)の出口端(3ロ)から導出されている枝糸(10)に結節部(11b)を作り、結節部(11a)(11b)間に細径領域(3b)が位置するようにセットする。そして、枝糸(10)の先端に釣り針（図示せず）を結びつける。
【００２５】
このようにした釣り糸連結具(1)を多数用意し、幹糸(8)を釣り糸連結具(1)の幹糸挿通孔(２)に挿通し、幹糸(8)に結節部(9a)(9b)を形成し、釣り糸連結具(1)が結節部(9a)(9b)間で自由な回転が出来るようにする。幹糸挿通孔(２)は太径であるから結節部(9a)(9b)が脱落しないように十分大きなものにする必要がある。（勿論、前述のように幹糸挿通孔(2)を細経としても良い。）
このようにして用意した仕掛け(S)は、複数の釣り糸連結具(1)を介して幹糸(8)に複数の枝糸(10)が所定間隔で予め形成されているものを使用してもよいし、釣り人自らが組み立ててもよい。この仕掛け(S)と、餌籠(13)とを図１９に示すように道糸(17)の先端に装着し船釣りを行う。釣竿や道糸(17)を操って餌籠(13)を上下させると、前述のように餌籠(13)から少量づつの餌(E)が周囲にこぼれ、魚を呼び込む。
【００２６】
餌籠(13)の周囲に集まった魚は、前述のようにその周囲に漂う枝糸(10)に取り付けられた釣り針(12)を餌(E)と間違えて食いつき釣り上げられる事になる。なお、釣り針(12)には餌(E)や疑似餌が取り付けられて使用されるのが一般的である。
【００２７】
また、枝糸取付孔(3)は、釣り糸連結具(1)の長軸(CL)の中心に合わせて形成されているので偏りがなく、幹糸(8)の回りにて釣り糸連結具(1)の回転も極めてスムーズに行われ、枝糸(10)や幹糸(8)に撚りがかからず、糸の縺れが少なくなり、従来の釣り糸連結具(20)にはない使い勝手の良さが得られた。
【００２８】
図4〜６は、本発明の釣り糸連結具(1)の第2実施例で、枝糸取付孔(3)の細径領域(3b)の出口端(3ロ)がラッパ状に開くように形成されているもので、枝糸(10)の導出部分がいずれの方向にもより自由に撓む事が出来、枝糸(10)が抵抗なく潮の流れに乗りやすい。ラッパ状部分(6)の開き角度は特に限定されるものではないが、１２０〜１５０゜程度が一般的である。
【００２９】
図７〜９は、本発明の釣り糸連結具(1)の第３実施例で、釣り糸連結具(1)の外形形状が砲弾状の場合で、枝糸取付孔(3)はやはり長軸方向に釣り糸連結具(1)の中心軸(CL)に一致して形成されている。即ち、枝糸取付孔(3)の入口端(3イ)は釣り糸連結具(1)の半球状端部(R)側に形成され、出口端(3ロ)は平面状端部(7)側に形成されている。そして、幹糸挿通孔(2)が入口端(3イ)側に偏って穿設されている。
【００３０】
釣り中の当たりの感度を損なわないようにするために、釣り糸連結具(1)は、海中で出来るだけ抵抗が小さい事が要求されるので、このように出口端(3ロ)の部分が切り落とされて平面状端部(7)となっておればその分だけ釣り糸連結具(1)の体積を小さくする事が出来、抵抗を小さくする事が出来る。また、前述のように砲弾型であって出口端(3ロ)の平面状端部(7)側から枝糸(8)が導出されているので、潮の流れは常に、半球状頭部(R)側に当たるため、釣り糸連結具(1)は海中で安定的にその姿勢が保たれる事になる。
【００３１】
図１０〜１２は、本発明の釣り糸連結具(1)の第４実施例で、釣り糸連結具(1)の外形が、釣り糸連結具(1)における枝糸取付孔(3)の入口端(3イ)側が半球状に形成され、この半球状端部(R)を越えた処から出口端(3ロ)側に向かって次第にその外径が小さくなるようなテーパ状に形成されている。テーパ状部分は断面外形線が直線でもよいし、膨出させて全体を卵型としても良いし、内側に曲線状に収縮させてもよい。枝糸取付孔(3)は長軸方向にて釣り糸連結具(1)の中心軸に一致して形成され、入口端(3イ)側が半球状端部(R)に、出口端(3ロ)がすぼまった側の端部に形成されている。そして、幹糸挿通孔(2)が入口端(3イ)側に偏って穿設されている。
【００３２】
これの場合も前述同様海中での抵抗軽減が目的で、潮の流れに乗って枝糸(10)が漂う時、曲率半径の大きい入口端(3イ)側が常に上流側に位置し、テーパ状にすぼまった方の端部に形成された出口端(3ロ)側が下流側に位置するため、潮の流れは釣り糸連結具(1)の外周に沿ってスムーズに流れて抵抗増加が小さく、且つ釣り糸連結具(1)の海中における姿勢安定性が増す。
【００３３】
図１３〜１５は、本発明の釣り糸連結具(1)の第５実施例で、第３実施例と同様砲弾型のものをその代表例としているが勿論これに限られず、楕円回転体、卵型、その他あらゆる形状のものが適用できる。本実施例の特徴は、釣り糸連結具(1)の長軸方向の中心軸(CL)に対して枝糸取付孔(3)の角度(α)が鋭角１０〜６０゜程度（ただし０゜は含まず。）に形成した点である。このようにすれば軸糸挿通孔(2)に挿通し、結節部(9a)(9b)にて釣り糸連結具(1)を軸糸(8)に取り付ける際に、枝糸取付孔(3)の出口端(3c)が軸糸(8)を基準にして斜め上方を向くように取り付けておけば仕掛け(S)を海中に投入した時、釣り針(12)に引っ張られた枝糸(10)は水の抵抗に合わせて上方に撓みやすくなる。その結果仕掛け(S)の沈降中に、枝糸(10)は枝糸取付孔(3)を中心としてその中で回動しやすくなり、枝糸(10)の撚り発生が抑制される。その意味からすると前記角度(α)が４５゜に近い方が好ましいが、これ以上の角度、例えば６０゜程度に大きくしても良い。
【００３４】
図１６〜１８は本発明の釣り糸連結具(1)の第５実施例で第４実施例のものをその代表例としているが勿論これに限られず、楕円回転体、卵型、その他あらゆる形状のものが適用できる。本実施例の特徴は、幹糸挿通孔(2)の内径が太径部分(3a)より細く、幹糸(8)を例えば８の字結びして形成した結節部(9a),(9b)によって釣り糸連結具(1)が止まるようになっている。このように幹糸挿通孔(2)が太径部(3a)より細いと言う事は本明細書の他の実施例についても当然適用される事である。
【００３５】
【発明の効果】
本発明によれば、枝糸取付孔の太径領域と細径領域の境目である係止位置が、入口端から幹糸挿通孔との交差位置を越え、出口端側に形成されているので、枝糸を幹糸に接触させる事なく交差して釣り糸連結具に取り付けられる事が出来る。
【００３６】
しかも、枝糸取付孔を釣り糸連結具の中心軸に一致して形成しておけば、取付位置において左右の偏りがなく、海中においてより自由な回転が可能となり、枝糸や幹糸に撚りがかからず、糸の縺れが少なくなる。
【００３７】
逆に、枝糸挿通孔を釣り糸連結具の中心軸に対して鋭角に傾けて形成しておけば、枝糸取付孔の出口端が幹糸に対して斜め上方を向くように取り付けておくことで海中への投入時に枝糸の撚り発生を緩和することができる。
【００３８】
また、釣り糸連結具の形状を、ラグビーボール形、砲弾形、卵形などにする事で釣り糸連結具の海中での姿勢の安定性を高める事が出来る。
【図面の簡単な説明】
【図１】本発明の釣り糸連結具の第１実施例の斜視図
【図２】図１の正断面図
【図３】図１の平断面図
【図４】本発明の釣り糸連結具の第２実施例の斜視図
【図５】図２の正断面図
【図６】図２の平断面図
【図７】本発明の釣り糸連結具の第３実施例の斜視図
【図８】図３の正断面図
【図９】図３の平断面図
【図１０】本発明の釣り糸連結具の第４実施例の斜視図
【図１１】図４の正断面図
【図１２】図４の平断面図
【図１３】本発明の釣り糸連結具の第５実施例の斜視図
【図１４】図１３の正断面図
【図１５】図１３の平面図
【図１６】本発明の釣り糸連結具の第６実施例
【図１７】図１６の正断面図
【図１８】図１６の平面図
【図１９】釣り糸連結具の使用状態説明図
【図２０】従来例の斜視図
【図２１】図１４の平断面図
【符号の説明】
(1)…釣り糸連結具
(2)…幹糸挿通孔
(3)…枝糸取付孔
(3a)…太径領域
(3b)…細径領域
(5)…係止部
(6)…ラッパ状開口
(7)…平面
(8)…幹糸
(9a)(9b)…結節部
(10)…枝糸
(11a)(11b)…結節部
【図１】
0003883705.tif 000002
【図２】
0003883705.tif 000003
【図３】
0003883705.tif 000004
【図４】
0003883705.tif 000005
【図５】
0003883705.tif 000006
【図６】
0003883705.tif 000007
【図７】
0003883705.tif 000008
【図８】
0003883705.tif 000009
【図９】
0003883705.tif 000010
【図１０】
0003883705.tif 000011
【図１１】
0003883705.tif 000012
【図１２】
0003883705.tif 000013
【図１３】
0003883705.tif 000014
【図１４】
0003883705.tif 000015
【図１５】
0003883705.tif 000016
【図１６】
0003883705.tif 000017
【図１７】
0003883705.tif 000018
【図１８】
0003883705.tif 000019
【図１９】
0003883705.tif 000020
【図２０】
0003883705.tif 000021
【図２１】
0003883705.tif 000022